(57)【要約】【課題】本発明は、所定の衝撃が入力された際に、筐体に亀裂が形成されることによって、該衝撃を吸収するとともに、該衝撃を吸収した後の筐体の見栄えを向上できる電子機器を提供する。【解決手段】ポータブルコンピュータ１０は、上カバー２２を備える。上カバー２２は、上右壁２２ｄと縦壁部４６と第１の梁５１と第２の梁５２とを備える。縦壁部４６は、上壁２２ａの内側に形成され、上右壁２２ｄの少なくとも一部と対向する。第１の梁５１は、上右壁２２ｄ上壁２２ａとに一体に形成され、縦壁部４６と接しない位置まで延びる。第２の梁５２は、縦壁部４６と上壁２２ａとに一体に形成され、上右壁２２ｄと接しない位置まで延びる。第１の梁５１と第２の梁５２とが並ぶ方向Ｄ１に沿って隣り合う第１の梁５１と第２の梁５２とは、並ぶ方向Ｄ１に互いに対向する領域Ｃ１〜Ｃ６を有する。【選択図】      図５
2006309549.tif 000002
【特許請求の範囲】
【請求項１】
端壁部と、前記端壁部に設けられる側壁部と、を有する筐体を具備する電子機器であって、
前記筐体は、
前記端壁部において前記側壁部よりも内側に形成され、前記側壁部の少なくとも一部と対向する縦壁部と、
前記側壁部と前記端壁部とに形成され、前記側壁部から前記縦壁部に向かって前記縦壁部と接しない位置まで延びる第１の梁と、
前記縦壁部と前記端壁部とに形成され、前記縦壁部から前記側壁部に向かって前記側壁部と接しない位置まで延びる第２の梁と、
を具備し、
前記第１の梁と前記第２の梁とが並ぶ方向に隣り合う第１の梁と第２の梁とは、前記並ぶ方向に沿って互いに対向する領域を有することを特徴とする電子機器。
【請求項２】
前記第１の梁と前記第２の梁とは、複数形成されることを特徴とする請求項１に記載の電子機器。
【請求項３】
複数の前記第１の梁と複数の前記第２の梁との内少なくとも一部は、前記並ぶ方向に１つずつ交互に配置されることを特徴とする請求項２に記載の電子機器。
【請求項４】
前記並ぶ方向に前記第１の梁を挟んで隣り合う前記第２の梁の内少なくとも１組は、互いに長さが異なることを特徴とする請求項３に記載の電子機器。
【請求項５】
前記並ぶ方向に隣り合う前記第１の梁の間の範囲に、前記第２の梁が複数配置されることを特徴とする請求項２に記載の電子機器。
【請求項６】
前記並ぶ方向に沿って前記第１の梁と隣り合う前記第２の梁は、前記第１の梁の側に配置されることを特徴とする請求項５に記載の電子機器。
【請求項７】
前記並ぶ方向に隣り合う前記第１の梁の間の範囲に配置される複数の前記第２の梁の長さは、前記端壁部に形成されるべき亀裂の位置に対応した長さであることを特徴とする請求項５に記載の電子機器。
【請求項８】
前記第１の梁と前記第２の梁の高さは、これら第１の梁と第２の梁とが形成される地点の前記端壁部の厚みよりも高いことを特徴とする請求項１に記載の電子機器。
【請求項９】
前記筐体には、外側に張り出す張出部が形成され、前記第１の梁と前記第２の梁とは、前記張出部に形成されることを特徴とする請求項１に記載の電子機器。
【請求項１０】
前記複数の第１の梁と前記複数の第２の梁とは、前記側壁部の全域に対応して形成されることを特徴とする請求項２に記載の電子機器。
【請求項１１】
前記並ぶ方向は、直線状であって、
前記対向する領域の長さは、前記並ぶ方向に沿って隣り合う前記第１の梁と前記第２の梁との間の距離の半分の長さよりも大きいことを特徴とする請求項１に記載の電子機器。
【発明の詳細な説明】
【技術分野】
【０００１】
本発明は、補強構造を備える筐体を具備する電子機器に関する。
【背景技術】
【０００２】
電子機器として例えばポータブルコンピュータなどの筐体は、強度を向上するために補強が施されている。
【０００３】
補強構造の一例として、筐体の周壁に、複数の梁を形成する構造がある。この梁は、周壁から内側に向かって延びており、周壁の一部、もしくは略全周に亘って形成される。このように、梁を備える構造によって、筐体の強度は、向上する。
【０００４】
一方、筐体は、衝撃が入力されると、該衝撃によって筐体に亀裂が形成されるなどして、該衝撃を吸収する作用を有している。このように衝撃が吸収されることによって、筐体内に収容されている基板などに衝撃が伝わることが抑制される。
【０００５】
しかし、筐体が上記したような補強構造を有していると、高い衝撃が入力された際に形成される亀裂は、各梁を避けて各梁の先端を結ぶように広い範囲に形成されることが考えられる。
【０００６】
亀裂が広い範囲に形成されると、筐体の見栄えが悪くなるので好ましくない。
【０００７】
このため、周壁において梁を形成すべき範囲と、この範囲と対向しかつ筐体内に形成される縦壁と、の間に梁を渡らせることによって、筐体の強度を更に向上させる補強構造が開示されている（例えば、特許文献１参照。）。
【特許文献１】特開平４−２８０５１８号公報
【発明の開示】
【発明が解決しようとする課題】
【０００８】
しかし、特許文献１に開示されている補強構造では、筐体の強度が更に向上することによって、周壁に入力された衝撃が吸収されにくくなる。それゆえ、周壁に高い衝撃が入力されても、該衝撃は、筐体によって吸収されることなく基板などの部品に伝達されることが考えられる。
【０００９】
このように、基板などの部品に衝撃が伝達されると、該部品の機能が破壊されることが考えられる。それゆえ、衝撃が筐体によって吸収されることなく基板などの部品に伝達されることは、好ましくない。
【００１０】
したがって、本発明は、所定の衝撃が入力された際に、筐体に亀裂が形成されることによって該衝撃を吸収するとともに、該衝撃を吸収した後の筐体の見栄えを向上できる電子機器を提供することを目的とする。
【課題を解決するための手段】
【００１１】
上記目的を達成するため、本発明の１つの形態に係る電子機器は、端壁部と、前記端壁部に設けられる側壁部と、を有する筐体を備える。前記筐体は、縦壁部と、第１の梁と，第２の梁と、を備える。前記縦壁は、前記端壁部において前記側壁部よりも内側に形成され、前記側壁部の少なくとも一部と対向する。前記第１の梁は、前記側壁部と前記端壁部とに形成され、前記側壁部から前記縦壁部に向かって前記縦壁部と接しない位置まで延びる。前記第２の梁は、前記縦壁部と前記端壁部とに形成され、前記縦壁部から前記側壁部に向かって前記側壁部と接しない位置まで延びる。前記第１の梁と前記第２の梁とが並ぶ方向に隣り合う第１の梁と第２の梁とは、前記並ぶ方向に沿って互いに対向する領域を有する。
【発明の効果】
【００１２】
本発明によれば、所定の衝撃が入力された際に、筐体に亀裂が形成されることによって、該衝撃を吸収するとともに、該衝撃を吸収した後の筐体の見栄えを向上できる電子機器を得ることができる。
【発明を実施するための最良の形態】
【００１３】
本発明の第１の実施形態に係る電子機器について、ポータブルコンピュータ１０を一例に、図１から図７を参照して説明する。
【００１４】
図１は、ポータブルコンピュータ１０を示している。図１に示すように、ポータブルコンピュータ１０は、コンピュータ本体２０と、表示ユニット３０と、を備えている。
【００１５】
コンピュータ本体２０は、第１の筐体２１を備えている。第１の筐体２１は、本発明で言う、筐体の一例である。第１の筐体２１は、扁平な箱状である。第１の筐体２１の内部には、ハードディスクドライブや基板などの部品が収容されている。
【００１６】
図２は、第１の筐体２１が分解された状態を示している。図２に示すように、第１の筐体２１は、上カバー２２と、下カバー２３と、を備えている。上カバー２２は、第１の筐体２１の上部を構成している。下カバー２３は、第１の筐体２１の下部を構成している。第１の筐体２１は、上カバー２２と下カバー２３とが互いに重ねられることによって、形成される。
【００１７】
上カバー２２は、下方に開口している。上カバー２２は、例えばマグネシウム合金で形成されている。なお、上カバー２２を形成する材料は、マグネシウム合金に限定されるものではない。例えば、上カバー２２は、他の金属で形成されてもよい。または、上カバー２２は、樹脂で形成されてもよい。
【００１８】
上カバー２２は、上壁２２ａと、上前壁２２ｂと、上左壁２２ｃと、上右壁２２ｄと、上後壁２２ｅと、を有している。上壁２２ａは、本発明で言う端壁部の一例である。上壁２２ａの上面には、キーボード２４が配置されている。
【００１９】
上前壁２２ｂは、上壁２２ａの前縁に形成されており、下方に向かって延びている。上左壁２２ｃは、上壁２２ａの左縁に形成されており、下方に向かって延びている。上右壁２２ｄは、上壁２２ａの右縁に形成されており、下方に向かって延びている。上後壁２２ｅは、上壁２２ａの後縁に形成されており、下方に向かって延びている。上前壁２２ｂと、上左壁２２ｃと、上右壁２２ｄと、上後壁２２ｅとは、本発明で言う、側壁部の一例である。
【００２０】
上カバー２２の構造は、後で詳細に説明される。
【００２１】
下カバー２３は、上方に開口している。下カバー２３は、下壁２３ａと、下前壁２３ｂと、下左壁２３ｃと、下右壁２３ｄと、下後壁２３ｅと、を有している。下壁２３ａは、本発明で言う端壁の一例である。
【００２２】
下前壁２３ｂは、下壁２３ａの前縁に形成されており、上方に向かって延びている。下左壁２３ｃは、下壁２３ａの左縁に形成されており、上方に向かって延びている。下右壁２３ｄは、下壁２３ａの右縁に形成されており、上方に向かって延びている。下後壁２３ｅは、下壁２３ａの後縁に形成されており、上方に向かって延びている。
【００２３】
下前壁２３ｂと下左壁２３ｃと下右壁２３ｄと下後壁２３ｅとは、本発明で言う、側壁部の一例である。
【００２４】
第１の筐体２１は、上カバー２２と下カバー２３とが互いに重なることによって、形成される。図１に示すように、上前壁２２ｂと下前壁２３ｂとが上下方向に重なることによって、第１の筐体２１の前壁２１ｂが形成される。上左壁２２ｃと下左壁２３ｃとが上下方向に重なることによって、第１の筐体２１の左壁２１ｃが形成される。上右壁２２ｄと下右壁２３ｄとが上下方向に重なることによって、第１の筐体２１の右壁２１ｄが形成される。上後壁２２ｅと下後壁２３ｅとが上下方向に重なることによって、第１の筐体２１の後壁２１ｅが形成される。
【００２５】
なお、図２中において、第１の筐体２１内に収容される基板などの部品は、省略されている。
【００２６】
図１と図２とに示すように、第１の筐体２１の左前のコーナー部２５の近傍、具体的には、コーナー部２５を挟んで左壁２１ｃ側と前壁２１ｂ側とは、外側に張り出しており、張出部２５ａを形成している。
【００２７】
右前のコーナー部２６の近傍、具体的には、コーナー部２６を挟んで右壁２１ｄ側と前壁２１ｂ側とは、外側に張り出しており、張出部２６ａを形成している。左後ろのコーナー部２７の近傍、具体的には、コーナー部２７を挟んで左壁２１ｃ側と後壁２１ｅ側とは、外側に張り出しており、張出部２７ａを形成している。右後ろのコーナー部２８の近傍、具体的には、コーナー部２８を挟んで右壁２１ｄ側と後壁２１ｅ側とは、外側に張り出しており、張出部２８ａを形成している。
【００２８】
これら、張出部２５ａ，２６ａ，２７ａ，２８ａは、第１の筐体２１において張出部２５ａ，２６ａ，２７ａ，２８ａ以外の部位よりも、外側に張り出している。
【００２９】
それゆえ、上カバー２２と下カバー２３とは、各張出部２５ａ，２６ａ，２７ａ，２８ａに対応して、４隅近傍が外側に張り出している。
【００３０】
図１に示すように、表示ユニット３０は、第２の筐体３１と、液晶表示パネル３２と、を備えている。液晶表示パネル３２は、第２の筐体３１に収容されている。液晶表示パネル３２は、画像を表示するスクリーン３２ａを有している。スクリーン３２ａは、第２の筐体３１の前面に形成された開口部３１ａを通じて第２の筐体３１の外方に露出している。
【００３１】
第２の筐体３１は、第１の筐体２１の後端部に、図示しないヒンジを介して支持されている。表示ユニット３０は、閉じ状態と、開き状態との間で回動自由である。閉じ状態は、表示ユニット３０がキーボード２４を上方から覆うようにコンピュータ本体２０の上に横たわる状態である。開き状態は、表示ユニット３０がキーボード２４やスクリーン３２ａを露出させるようにコンピュータ本体２０に対して起立する状態である。
【００３２】
第１の筐体２１には、例えば落下した際などの衝撃に対する補強構造が設けられている。この補強構造について、上カバー２２を代表して説明する。
【００３３】
図３は、上カバー２２の内側を示している。図３に示すように、上カバー２２において、左後ろコーナー部２７の近傍の張出部２７ａと、右後のコーナー部２８の近傍の張出部２８ａと、には、上記された補強構造が施されている。
【００３４】
図４は、図３に示されたＦ４の範囲を拡大して示している。図４に示すように、上カバー２２におけるコーナー部２８には、ボス部４３が形成されている。ボス部４３は、上カバー２２と下カバー２３とが組み合わされる場合に、お互いを締結する例えばボルトが通される。
【００３５】
ボス部４３は、上壁２２ａの内面から下方に向かって延びている。なお、図４は、上カバー２２の内側が上方に向かって開口している状態を示している。それゆえ、ボス部４３は、上方に向かって延びているように示されている。ボス部４３は、略円柱状である。
【００３６】
また、張出部２８ａの範囲内の上右壁２２ｄと対向する部位には、第１の筐体２１内に基板などの各種部品を配置するためなどに用いられる突部４５が形成されている。突部４５とボス部４３との間には、上右壁２２ｄと向かい合う縦壁部４６が形成されている。
【００３７】
突部４５において上右壁２２ｄと対向する壁面４５ａと、縦壁部４６において上右壁２２ｄと対向する壁面４６ａとは、例えば略同一面上に位置している。
【００３８】
上記補強構造として、張出部２８ａには、複数の第１の梁５１と、複数の第２の梁５２と、が形成されている。
【００３９】
複数の第１の梁５１の内、２つの第１の梁５１は、上右壁２２ｄにおいて張出部２７ａの内側の範囲に形成されている。上右壁２２ｄに形成される第１の梁５１のうち一方の第１の梁５１は、上右壁２２ｄにおいて、突部４５と向かい合う第１の地点５３に形成されている。他方の第１の梁５１は、上右壁２２ｄにおいてボス部４３と縦壁部４６との間に対応する第２の地点５４に形成されている。第１の地点５３は、第２の地点５４よりも前方に位置している。
【００４０】
第１の地点５３と第２の地点５４とに形成される第１の梁５１は、上右壁２２ｄから上左壁２２ｃへ向かう方向Ａに沿って内側に延びており、互い略平行である。
【００４１】
図５は、図３に示されたＦ４の範囲の平面図である。図５に示すように、上右壁２２ｄの第１の地点５３と第２の地点５４とに形成される第１の梁５１は、突部４５および縦壁部４６と上右壁２２ｄとの間の中間地点５５よりも突部４５および縦壁部４６側に延びている。
【００４２】
第１の地点５３と第２の地点５４とに形成された第１の梁５１の先端は、突部４５と縦壁部４６とに達しない。第１の地点５３と第２の地点５４とに形成される第１の梁５１の上記された長さは、一例である。
【００４３】
上右壁２２ｄの第１の地点５３と第２の地点５４とに形成された第１の梁５１の長さは、張出部２８ａに求められる強度に応じて決定されている。上右壁２２ｄのうち、第１の梁５１の近傍の範囲の剛性は、第１の梁５１の長さが長くなるほど、向上する。
【００４４】
上右壁２２ｄに入力された衝撃は、該衝撃によって上壁２２ａが変形または破壊されることによって、第１の筐体２１で吸収される。第１，２の地点５３，５４に形成された２つの第１の梁５１は、所定の長さを有して強度を確保するとともに、突部４５および縦壁部４６とに達するまで延びないことによって、上壁２２ａの変形代または破壊代を確保している。
【００４５】
図６は、図５に示されたＦ６−Ｆ６線に沿う断面図である。図６に示すように、上右壁２２ｄの第１の地点５３に形成された第１の梁５１の高さＨ１は、第１の地点５３の近傍の上壁２２ａの厚みＨ２よりも高い。つまりＨ１＞Ｈ２となる。
【００４６】
同様に、上右壁２２ｄの第２の地点５４に形成された第１の梁５１の高さは、第２の地点５４の近傍の上壁２２ａの厚みよりも高くなるように設定されている。
【００４７】
図７は、図５に示されたＦ７−Ｆ７線に沿う断面図である。図７に示すように、上右壁２２ｄの第１の地点５３に形成される第１の梁５１の側面形状は、例えば略長方形状である。それゆえ、第１の地点５３に形成された第１の梁５１の高さＨ１は、全域において、Ｈ２よりも大きくなる。
【００４８】
上右壁２２ｄの第２の地点５４に形成された第１の梁５１の側面形状も、第１の地点５３に形成された第１の梁５１と略同様である。それゆえ、第２の地点５４に形成された第１の梁５１の高さは、全域において、この第１の梁５１が形成される地点近傍の上壁２２ａの厚みよりも大きくなる。
【００４９】
なお、これら第１の梁５１の側面形状は、略長方形状に限定されない。例えば、第１の梁５１の側面形状は、台形状であってもよい。このような場合、第１の梁５１の最も低い箇所の高さが、この第１の梁５１が形成される地点近傍の上壁２２ａの厚みよりも高ければよい。
【００５０】
図６と図７とに示すように、上右壁２２ｄの第１の地点５３と第２の地点５４とに形成される第１の梁５１は、上壁２２ａと上右壁２２ｄとに一体に形成されている。
【００５１】
図４に示すように、複数の第２の梁５２のうち、１つの第２の梁５２は、突部４５と上壁２２ａとに一体に形成されている。それゆえ、突部４５は、本発明で言う縦壁部として機能する。このように、既存の突部４５なども縦壁部として利用することができる。
【００５２】
突部４５に形成される第２の梁５２は、突部４５において上右壁２２ｄと向かい合う壁面４５ａから、上右壁２２ｄに向かって延びている。突部４５に形成される第２の梁５２は、上右壁２２ｄの第１の地点５３に形成される第１の梁５１よりも前方に配置されている。
【００５３】
突部４５に形成される第２の梁５２は、上右壁２２ｄ側に向かって、上右壁２２ｄの第１の地点５３と第２の地点５４とに形成される第１の梁５１と略平行に延びている。
【００５４】
突部４５に形成される第２の梁５２は、上右壁２２ｄの第１の地点５３と第２の地点５４とに形成された第１の梁５１のように、突部４５と上壁２２ａとに、一体に形成されている。
【００５５】
突部４５に形成される第２の梁５２の高さは、上右壁２２ｄの第１の地点５３と第２の地点５４とに形成された第１の梁５１と同様に、この第２の梁５２が形成される地点の近傍の上壁２２ａの厚みよりも高い。
【００５６】
また、図４と図５とに示すように、複数の第２の梁５２のうち、もう１つの第２の梁５２は、縦壁部４６と上壁２２ａとに一体に形成されている。この第２の梁５２は、縦壁部４６において上右壁２２ｄと向かい合う壁面４６ａから上右壁２２ｄに向かって延びている。
【００５７】
縦壁部４６に形成される第２の梁５２は、上右壁２２ｄの第１の地点５３と第２の地点５４とに形成される第１の梁５１の間に対応して配置されており、第１の地点５３と第２の地点５４とに形成された第１の梁５１と略平行に延びている。縦壁部４６は、本発明で言う、縦壁部の一例である。
【００５８】
縦壁部４６に形成される第２の梁５２は、上右壁２２ｄの第１の地点５３と第２の地点５４とに形成された第１の梁５１と同様に、縦壁部４６と上壁２２ａとに一体に形成されている。
【００５９】
縦壁部４６に形成された第２の梁５２の高さは、この第２の梁５２が形成される近傍の上壁２２ａの厚みよりも高い。
【００６０】
突部４５に形成された第２の梁５２の側面形状と縦壁部４６に形成された第２の梁５２の側面形状は、第１，２の地点５３，５４に形成された第１の梁５１と同様に、例えば略長方形状である。そして、これら第２の梁５２の高さは、略全域において、対応する上壁２２ａの厚みよりも高い。第２の梁５２の形状も、第１，２の地点５３，５４に形成された第１の梁５１と同様に、略長方形状に限定されない。
【００６１】
第１，２の地点５３，５４に形成された第１の梁５１と、突部４５に形成された第２の梁５２と、縦壁部４６に形成された第２の梁５２とは、図４中に２点鎖線で示されるように、これらの梁が並ぶ方向Ｄ１に沿って、例えば互いに略等間隔離れて配置されている。並ぶ方向Ｄ１は、略直線状である。
【００６２】
第１，２の地点５３，５４に形成された第１の梁５１と、突部４５に形成された第２の梁５２と、縦壁部４６に形成された第２の梁５２と、の配置関係を具体的に説明する。第２の地点５４に形成された第１の梁５１から縦壁部４６に形成された第２の梁５２までの距離と、縦壁部４６に形成された第２の梁５２から第１の地点５３に形成された第１の梁５１までの距離と、第１の地点５３に形成された第１の梁５１から突部４５に形成された第２の梁５２までの距離とは、略同じ間隔である。
【００６３】
突部４５に形成された第２の梁５２の長さは、この第２の梁５２と第１の地点５３に形成された第１の梁５１とが、並ぶ方向Ｄ１に沿って互いに対向する領域Ｃ１を有するように設定されている。
【００６４】
突部４５に形成される第２の梁５２の側面の内、第１の地点５３に形成された第１の梁５１と対向する領域Ｃ１を斜線で示す。第１の地点５３に形成された第１の梁５１の内、突部４５に形成される第２の梁５２と対向する領域Ｃ２を斜線で示す。
【００６５】
図５に示すように、対向する領域Ｃ１，Ｃ２は、第１の地点５３に形成された第１の梁５１から突部４５に形成された第２の梁５２までの距離に対応して、決定される。この点について、具体的に説明する。
【００６６】
図５に示すように、上右壁２２ｄの第１の地点５３に形成された第１の梁５１から突部４５に形成された第２の梁５２までの距離をｂ１とし、対向する領域Ｃ１，Ｃ２の長さをａ１とすると、突部４５に形成された第２の梁５２の長さＬ１は、ａ１＞ｂ１／２となるように、決定される。
【００６７】
縦壁部４６に形成された第２の梁５２の長さＬ２は、第１,２の地点５３,５４に形成された第１の梁５１のそれぞれと対向する領域Ｃ３，Ｃ４を有するように、設定されている。図４中、縦壁部４６に形成された第２の梁５２の内、上右壁２２ｄの第１，２の地点５３，５４に形成された第１の梁５１と対向する領域Ｃ３,Ｃ４を斜線で示す。
【００６８】
図５に示すように、対向する領域Ｃ３は、第１の地点５３に形成された第１の梁５１から縦壁部４６に形成された第２の梁５２までの距離に対応して、決定される。この点について、具体的に説明する。
【００６９】
第１の地点５３に形成された第１の梁５１から縦壁部４６に形成された第２の梁５２までの距離をｂ２とし、対向する領域の長さをａ２とすると、縦壁部４６に形成された第２の梁５２の長さＬ２は、ａ２＞ｂ２／２となるように、決定される。
【００７０】
なお、第１の地点５３に形成された第１の梁５１も、領域Ｃ３と同様な領域Ｃ５を有している。同様に、第２の地点５４に形成される第１の梁５１も、対向する領域Ｃ４と同様な領域Ｃ６を有している。
【００７１】
さらに、縦壁部４６に形成された第２の梁５２の対向領域Ｃ４の長さをａ３とし、第２の地点５４に形成された第１の梁５１と縦壁部４６に形成された第２の梁５２との間の距離をｂ３とすると、縦壁部４６に形成された第２の梁５２の長さＬ２は、ａ３＞ｂ３／２となるように決定されている。
【００７２】
つまり、縦壁部４６に形成される第２の梁５２の長さＬ２は、ａ２＞ｂ２／２であってかつａ３＞ｂ３／２を満たすように、決定される。
【００７３】
なお、本実施形態では、上右壁２２ｄに形成された第１の梁５１と、縦壁部４６に形成された第２の梁５２と、突部４５に形成された第２の梁５２とは、互いに等間隔離間して配置されている。つまり、ｂ１＝ｂ２＝ｂ３となる。
【００７４】
そして、第１の地点５３と第２の地点５４とに形成された第１の梁５１の長さは、等しい。突部４５に形成された第２の梁５２の長さと、縦壁部４６に形成された第２の梁５２の長さとは、等しい。
【００７５】
したがって、本実施形態では、ａ２＞ｂ２／２を満たすように第２の梁５２の長さＬ２が決定されると、対向する領域Ｃ３の長さａ３＞ｂ３／２となる。
【００７６】
次に、図４と図５とに示すように、複数の第１，２の梁５１,５２うち、コーナー部２８と上後壁２２ｅとに形成される第１，２の梁５１，５２について、説明する。
【００７７】
上右壁２２ｄと上後壁２２ｅとは、コーナー部２８においてなだらかに接合されている。上右壁２２ｄと上後壁２２ｅとが接続される接続部５６の形状は、例えば略円弧状である。
【００７８】
コーナー部２８において上右壁２２ｄと上後壁２２ｅとが交わる接続部５６には、３つの第１の梁５１が形成されている。これら３つの第１の梁５１は、接続部５６の前方に位置する第３の地点５７と、後方に位置する第４の地点５８と、第３の地点５７と第４の地点５８との間に位置する第５の地点５９とに、１つずつ形成されている。
【００７９】
これら３つの地点５７，５８，５９は、例えば略等間隔離間している。それゆえ、これら３つの地点５７，５８，５９に形成される各第１の梁５１は、略等間隔離間している。これら３つの地点５７，５８，５９に形成される第１の梁５１は、コーナー部２８の内側に向かって延びている。コーナー部２８の略中心には、ボス部４３が形成されているので、接続部５６に形成される３つの第１の梁５１は、ボス部４３に向かって延びている。
【００８０】
これら、３つの第１の梁５１は、第１,２の地点５３,５４に形成された第１の梁５１と同様に、接続部５６と上壁２２ａとに一体に形成されている。これら３つの第１の梁５１の高さは、それぞれが形成される地点近傍の上壁２２ａの厚みよりも高く設定されている。これら３つの第１の梁５１の側面形状は、例えば第１，２の地点５３，５４に形成された第１の梁５１と同様であって略長方形状である。
【００８１】
ボス部４３には、３つの第２の梁５２が形成されている。ボス部４３に形成される３つの第２の梁５２は、ボス部４３の周面の内、接続部５６と対向する対向面部４３ａに形成されている。それゆえ、ボス部４３は、本発明で言う、縦壁部として機能する。
【００８２】
図５に示すように、ボス部４３に形成される３つの第２の梁５２は、対向面部４３ａのうち、第６の地点６０と、第７の地点６１と、第８の地点６２とに、１つずつ形成されている。
【００８３】
第６の地点６０は、第３の地点５７の前方に対応して位置している。第７の地点６１は、第３の地点５７と第５の地点５９との間と向い合っている。第８の地点６２は、第５の地点５９と第４の地点５８との間と向い合っている。第６の地点６０と第８の地点６２と第７の地点６１とは、例えば略等間隔離間している。
【００８４】
ボス部４３に形成される３つの第２の梁５２は、ボス部４３と上壁２２ａと一体に形成されている。また、ボス部４３に形成される３つの第２の梁５２の側面形状は、例えば第１,２の地点５３,５４に形成された第１の梁５１同様であって、略長方形状である。ボス部４３に形成される３つの第２の梁５２の高さは、それぞれが形成される地点近傍の上壁２２ａの厚みよりも高く形成されている。
【００８５】
第６の地点６０に形成される第２の梁５２は、第３の地点５７に形成された第１の梁５１の前方に向かって延びている。第７の地点６１に形成される第２の梁５２は、第３,５の地点５７,５９に形成された第１の梁５１間に向かって延びている。第８の地点６２に形成された第２の梁５２は、第４,５の地点５８,５９間に向かって延びている。
【００８６】
コーナー部２８に形成された複数の第１，２の梁５１，５２は、略円弧状に並んで配置されており、お互いに等間隔離間している。図４に１点鎖線で示すように、コーナー部２８に形成された第１，２の梁５１，５２の並ぶ方向Ｄ２は、略円弧状である。
【００８７】
図５に示すように、第３の地点５７に形成された第１の梁５１の長さと、第６の地点６０に形成された第２の梁５２の長さとは、これら第１の梁５１と第２の梁５２とが、並ぶ方向Ｄ２に沿って互いに対向する領域Ｃ７,Ｃ８を有するように設定されている。対向する領域Ｃ７は、第６の地点６０に形成される第２の梁５２に設けられる。対向する領域Ｃ８は、第３の地点５７に形成される第１の梁５１に設けられる。
【００８８】
また、第６の地点６０に形成される第２の梁５２の長さは、第２の地点５４に形成される第１の梁５１と対向する領域Ｃ１７を有するように設定されている。
【００８９】
第３の地点５７に形成された第１の梁５１の長さと、第７の地点６１に形成された第２の梁５２長さとは、これら第１の梁５１と第２の梁５２とが、並ぶ方向Ｄ２に沿って互いに対向する領域Ｃ９,Ｃ１０を有するように設定されている。対向する領域Ｃ９は、第３の地点５７に形成される第１の梁５１に設けられる。対向する領域Ｃ１０は、第７の地点６１に形成される第２の梁５２に設けられる。
【００９０】
第７の地点６１に形成された第２の梁５２の長さと、第５の地点５９に形成された第１の梁５１の長さとは、これら第１の梁５１と第２の梁５２とが、並ぶ方向Ｄ２に沿って互いに対向する領域Ｃ１１,Ｃ１２を有するように設定されている。対向する領域Ｃ１１は、第７の地点６１に形成される第２の梁５２に設けられる。対向する領域Ｃ１２は、第５の地点５９に形成される第１の梁５１に設けられる。
【００９１】
第５の地点５９に形成された第１の梁５１の長さと、第８の地点６２に形成された第２の梁５２の長さとは、これら第１の梁５１と第２の梁５２とが、並ぶ方向Ｄ２に沿って互いに対向する領域Ｃ１３,Ｃ１４を有するように設定されている。対向する領域Ｃ１３は、第５の地点に形成される第１の梁５１に設けられる。対向する領域Ｃ１４は、第８の地点６２に形成される第２の梁５２に設けられる。
【００９２】
第８の地点６２に形成される第２の梁５２と、第４の地点５８に形成される第１の梁５１とは、これら第１，２の梁５１，５２が、並ぶ方向Ｄ２に沿って互いに対向する領域Ｃ１５，Ｃ１６を有するように設定されている。対向する領域Ｃ１５は、第８の地点６２に形成される第２の梁５２に設けられる。対向する領域Ｃ１６は、第４の地点５８に形成される第１の梁５１に設けられる。
【００９３】
本発明で言う、対向とは、並ぶ方向Ｄ２のように、各第１，２の梁５１，５２が互いに平行でいない場合も含む概念である。それゆえ、コーナー部２８に形成される第１，２の梁５１，５２のように、各第１，２の梁５１，５２が互いに平行でない場合であっても、これら第１，２の梁５１，５２は、並ぶ方向Ｄ２に沿って互いに対向する領域を有する。
【００９４】
第４の地点５８に形成された第１の梁５１よりも上後壁２２ｅに沿って内側には、第１の梁５１が形成されている。この第１の梁５１は、内側に向かって延びている。また、図４に示すように、張出部２８ａにおいて、上後壁２２ｅと対向する範囲には、上後壁２２ｅに向かって開口する凹部６３が形成されている。
【００９５】
凹部６３は、突部４５と同様に、第１の筐体２１内に基板やハードディスクドライブなどの部品を配置する際に用いられる。
【００９６】
凹部６３は、上後壁２２ｅに向かって延びる２本の腕部６３ａ，６３ｂを有している。本実施形態では、これら２本の腕部６３ａ,６３ｂは、上後壁２２ｅに形成される第１の梁５１の両側に配置されている。それゆえ、これら２本の腕部６３ａ，６３ｂは、本発明で言う第２の梁としての機能も有する。
【００９７】
次に、ポータブルコンピュータ１０に衝撃が入力された際の第１の筐体２１の様子を、張出部２８ａを一例に説明する。
【００９８】
図５に２点鎖線で示すように、例えばポータブルコンピュータ１０が落下した場合など、張出部２８ａの範囲内の上右壁２２ｄから所定の値以上の衝撃が入力されると、上壁２２ａに亀裂７０が形成される。所定の値とは、第１の筐体２１内に収容されるハードディスクや基板などの部品に対して好ましくない値である。
【００９９】
亀裂７０は、第１,２の地点５３,５４とに形成された第１の梁５１と、突部４５に形成された第２の梁５２と、縦壁部４６に形成された第２の梁５２との先端を避けるように、蛇行する。
【０１００】
例えばコーナー部２８に所定の値以上の衝撃が入力された場合であっても、コーナー部２８の上壁２２ａに形成される亀裂は、コーナー部２８に形成された第１の梁５１と第２の梁５２とを避けるように蛇行する。
【０１０１】
なお、図３に示すように、上カバー２２において左後のコーナー部２７の近傍の張出部２７ａにも、張出部２８ａと同様に、複数の第１の梁５１と複数の第２の梁５２とが形成されている。
【０１０２】
張出部２７ａでは、上左壁２２ｃに対向する位置に、縦壁部７１が形成されている。縦壁部７１には、２つの第２の梁５２が形成されている。これら２つの第２の梁５２は、上左壁２２ｃに向かって延びている。
【０１０３】
また、上左壁２２ｃにおいて張出部２８ａの範囲内には、２つの第１の梁５１が形成されている。これら２つの第１の梁５１のうち一方の第１の梁５１は、上左壁２２ｃの前方に位置する第９の地点７２に形成されている。第９の地点７２に形成された第１の梁５１は、縦壁部７１に形成された２つの第２梁５２の間に対応して形成されている。他方の第１の梁５１は、縦壁部７１に形成された２つの第２の梁５２より後方に対応する第１０の地点７３に形成されている。
【０１０４】
第９,１０の地点に形成される第１の梁５１の長さは、第１,２の地点５３,５４に形成された第１の梁５１の長さと同様に、張出部２８ａに求められる強度に応じて決定される。
【０１０５】
縦壁部７１に形成された第１の梁５１と、第９,１０の地点７２,７３に形成された第２の梁５２とは、第１の梁５１と第２の梁５２とが交互になるように配置されている。これら第１,２の梁５１,５２の並ぶ方向Ｄ３は、略直線状である。
【０１０６】
これら第１の梁５１と第２の梁５２とは、並ぶ方向Ｄ３に沿って、隣り合う梁どうし互いに対向する領域を有するように、設定されている。これら第１の梁５１と第２の梁５２との対向する領域の夫々の長さは、第１の梁５１と第２の梁５２の長さの半分より長くなるように設定されている。
【０１０７】
また、コーナー部２７には、ボス部４３と同様の機能を有するボス部７４が形成されている。上左壁２２ｃと上後壁２２ｅとは、なだらかに接合されている。図示されていないが、ボス部７４の周面のうち、上左壁２２ｃと上後壁２２ｅとの接合部７５と向かい合う範囲には、接合部７５に向かって複数の第２の梁５２が形成されてもよい
また、接合部７５には、ボス部７４に形成された第２の梁５２の両側に対応して第１の梁５１が形成されてもよい。このように接合部７５に形成される第１の梁５１と、ボス部７４に形成される第２の梁５２との並ぶ方向は、並ぶ方向Ｄ２のように、略円弧状となる。
【０１０８】
接合部７５に形成される第１の梁５１の長さとボス部７４に形成される第２の梁５２の長さとは、並ぶ方向に隣り合う第１の梁５１と第２の梁５２とが、それぞれが並ぶ方向に対向する領域を有するように設定されている。
【０１０９】
上記のように張出部２８ａに第１の梁５１と第２の梁５２とが形成されることによって、衝撃によって張出部２８ａの範囲内の上壁２２ａに形成される亀裂は、亀裂７０と同様に、第１の梁５１と第２の梁５２とを避けるように、蛇行する。
【０１１０】
また、本実施形態の上カバー２２では、張出部２７ａ，２８ａ以外の個所において、上左壁２２ｃ，上右壁２２ｄ，上前壁２２ｂに第１の梁５１が形成されている。これら、第１の梁５１は、内側に向かって延びている。
【０１１１】
このように形成されるポータブルコンピュータ１０では、第１の筐体２１に衝撃が入力されることによって形成される亀裂７０は、図５に示すように、蛇行する。第１の筐体２１は、亀裂７０が形成されることによって、衝撃を吸収する。亀裂７０の長さは、衝撃の大きさに比例する。
【０１１２】
つまり、衝撃が大きくなるほど、亀裂７０の長さは、長くなる。しかし、上記したように、第１の筐体２１に、第１の梁５１と第２の梁５２とを備える補強構造が施されることによって、亀裂７０は、蛇行する。
【０１１３】
つまり、大きな衝撃が入力されることによって亀裂７０の長さが長くなっても、亀裂７０が形成される範囲は、小さく抑えられる。よって、第１の筐体２１は、所定の値以上の衝撃が入力された後であっても、亀裂７０が形成される範囲が小さく抑えられるので、亀裂７０による見栄えの悪化が抑制される。
【０１１４】
また、第１の梁５１と第２の梁５２とが複数形成されることによって、亀裂７０が蛇行する範囲は、広くなる。
【０１１５】
また、第１の梁５１と第２の梁５２とが１つずつ交互に配置されることによって、亀裂７０は、効果的に蛇行する。
【０１１６】
また、第１の筐体２１は、張出部２５ａ，２６ａ，２７ａ，２８ａが形成されることによって、万が一、ポータブルコンピュータ１０が落下した場合などでは、ポータブルコンピュータ１０は、張出部２５ａ、２６ａ、２７ａ、２８ａのいずれかから着地するようになる。
【０１１７】
そして、上カバー２２の張出部２７ａ，２８ａに第１の梁５１と第２の梁５２とを備える補強構造が施されることによって、第１の筐体２１に入力される衝撃によって形成される亀裂７０の範囲は、効果的に小さく抑えられる。それゆえ、第１の筐体２１の見栄えの悪化が効果的に抑制される。
【０１１８】
また、第１の梁５１と第２の梁５２の高さは、各第１，２の梁５１，５２が形成される地点の近傍の上壁２２ａの厚みよりも高く形成されている。それゆえ、第１の梁５１と第２の梁５２自体の強度が確保されるので、衝撃によって、第１の梁５１と第２の梁５２とが破壊されることがない。
【０１１９】
言い換えると、衝撃によって形成される亀裂７０は、第１の梁５１と第２の梁５２とを通ることなく、第１の梁５１と第２の梁５２とを避けて蛇行する。よって、亀裂７０の形成される範囲は、効果的に狭められる。
【０１２０】
また、並ぶ方向Ｄ１のように、第１の梁５１と第２の梁５２とが略直線状に並ぶ場合、これら第１の梁５１と第２の梁５２の長さは、互いに対向する領域の長さが、互いの間の距離の半分より大きくなるように設定されている。具体的には、ａ１＞ｂ１／２，ａ２＞ｂ２／２，ａ３＞ｂ３となっている。
【０１２１】
それゆえ、蛇行する亀裂７０の長さは、略直線状に形成された亀裂の略１．２倍より長くなる。したがって、亀裂７０の形成される範囲は、効果的に小さく抑えられる。
【０１２２】
なお、本実施形態では、上カバー２２の張出部２７ａ，２８ａに施された第１の梁５１と第２の梁５２とを備える補強構造を代表して説明している。しかし、これに限定されない。例えば、第１の梁５１と第２の梁５２とを備える補強構造は、張出部２５ａ，２６ａに形成されてもよい。
【０１２３】
また、本実施形態では、上カバー２２に施された第１の梁５１と第２の梁５２とを備える補強構造を代表して説明されているが、これに限定されない。例えば、第１の梁５１と第２の梁５２とを備える補強構造は、下カバー２３に形成されてもよい。または、第１の梁５１と第２の梁５２とを備える補強構造は、第２の筐体３１に施されてもよい。
【０１２４】
第１の梁５１と第２の梁５２とを備える補強構造が下カバー２３と第２の筐体３１に施される場合、第１の梁５１は、下カバー２３または第２の筐体３１の側壁部から内側に向かって形成される。第２の梁５２は、下カバー２３または第２の筐体３１において、第１の梁５１が形成される部位と対向する箇所に形成される縦壁部に形成される。
【０１２５】
なお、張出部２７ａ、２８ａにおいて用いられた第１，２の梁５１，５２の数、配置は、一例であって、限定されるものでは、ない。上右壁２２ｄにおいて張出部２８ａの範囲内には、２つの第１の梁５１が形成され、突部４５と縦壁部４６とには、第２の梁５２が１つずつ形成されているが、例えば、上右壁２２ｄに３つや４つの第１の梁５１が形成されてもよい。同様に、突部４５と縦壁部４６とに、２つや３つの第２の梁５２が形成されてもよい。これに合わせて、複数の縦壁部を形成し、そこに第２の梁５２を形成してもよい。
【０１２６】
第１，２の梁５１，５２の数は、例えば第１の筐体２１や第２の筐体３１に望まれる強度に応じて決定される。要するに、第１の梁５１と第２の梁５２とが、それぞれが並ぶ方向に沿って順番に配置され、かつ、並ぶ方向に沿って第１の梁５１と第２の梁５２とが互いに対向する領域を有していればよい。
【０１２７】
上記されたことは、例えばコーナー部２５，２６，２７や他の張出部２５ａ，２６ａ，２７ａ，２８ａであっても同様である。
【０１２８】
つぎに、本発明の第２の実施形態に係る電子機器を、ポータブルコンピュータ１０を一例に、図８を参照して説明する。なお、第１の実施形態と同様な機能を有する構成は、同一の符号を付して説明を省略する。
【０１２９】
本実施形態では、第２の梁５２の長さが第１の実施形態と異なる。この点について具体的に説明する。
【０１３０】
図８に示すように、本実施形態では、上右壁２２ｄにおいて張出部２８ａの範囲内の第１，２の地点５３，５４に形成される第１の梁５１と、突部４５と縦壁部４６とに形成される第２の梁５２とを代表して説明する。
【０１３１】
本実施形態では、突部４５と縦壁部４６とに形成される第２の梁５２は、上右壁２２ｄの直前まで延びている。
【０１３２】
また、第２の梁５２が上右壁２２ｄの直前まで延びることによって、衝撃によって形成される亀裂７０の振れ幅は、大きくなる。それゆえ、亀裂７０が形成される範囲は、効果的に小さく抑えられる。
【０１３３】
なお、本実施形態では、張出部２８ａの範囲内の上右壁２２ｄと突部４５と縦壁部４６とに形成される第１の梁５１と第２の梁５２とを代表して説明したが、これに限定されるものではない。例えば、上カバー２２において他の箇所や、下カバー２３や、第２の筐体３１であっても、本実施形態のように、第２の梁５２が上右壁２２ｄに代表される側壁部の直前まで延びてもよい。
【０１３４】
このような第２の梁５２が形成される範囲では、亀裂が大きく蛇行するようになるので、亀裂が形成される範囲は、効果的に小さく抑えられる。
【０１３５】
つぎに、本発明の第３の実施形態に係る電子機器を、ポータブルコンピュータ１０を一例に、図９を参照して説明する。なお、第１の実施形態と同様な機能を有する構成については、同一の符号を付して説明を省略する。
【０１３６】
本実施形態では、第２の梁５２の長さが、第１の実施形態と異なる。この点について、具体的に説明する。
【０１３７】
本実施形態では、上右壁２２ｄにおいて張出部２８ａの範囲内の第１，２の地点５３，５４に形成される第１の梁５１と、突部４５と縦壁部４６とに形成される第２の梁５２とを代表して説明する。
【０１３８】
本実施形態では、図９に示すように、例えば、縦壁部４６に形成される第２の梁５２は、突部４５に形成される第２の梁５２よりも長く形成される。
【０１３９】
なお、本実施形態では、第１，２の地点５３，５４に形成された第１の梁５１と、突部４５と縦壁部４６とに形成された第２の５２とを代表して説明したが、これに限定されるものではない。
【０１４０】
例えば、本実施の形態のように、異なる長さの第２の梁５２が用いられる補強構造は、上カバー２２の他の箇所や，第１の筐体２１や、下カバー２３や、第２の筐体３１に施されてもよい。このような場合であっても、同様な効果が得られる。
【０１４１】
つぎに、本発明の第４の実施形態に係る電子機器を、ポータブルコンピュータ１０を一例に、図１０を参照して説明する。なお、第１の実施形態と同様な機能を有する構成は、同一の符号を付して説明を省略する。
【０１４２】
本実施形態では、並ぶ方向に隣り合う第１の梁５１の間に、複数の第２の梁５２が配置される点が、第１の実施形態と異なる。この点について具体的に説明する。
【０１４３】
本実施形態では、上右壁２２ｄにおいて張出部２８ａの範囲内の第１，２の地点５３，５４に形成される第１の梁５１と、突部４５と縦壁部４６とに形成される第２の梁５２とを代表して説明する。
【０１４４】
本実施形態では、突部４５に形成される第２の梁５２は、第１，２の地点５３，５４に形成される第１の梁５１の間に配置される。本実施形態であっても、第１の実施形態と同様な効果を得ることができる。
【０１４５】
なお、本実施形態では、第１，２の地点５３，５４に形成される第１の梁５１の間に２つの第２の梁５２が形成されている。しかし、これに限定されない。例えば、第１，２の地点５３，５４に形成される第１の梁５１の間に、第２の梁５２が例えば３つや４つ形成されてもよい。
【０１４６】
また、上記のように並ぶ方向に隣り合う第１の梁５１の間に複数の第２の梁５２が形成される補強構造は、張出部２８ａに形成されることに限定されない。隣り合う第１の梁５１の間に複数の第２の梁５２が形成される補強構造は、例えば、上カバー２２において他の箇所や、下カバー２３や第２の筐体３１などに形成されてもよい。
【０１４７】
本実施の形態においては、隣り合う第１の梁５１の間に複数の第２の梁５２が形成される補強構造を開示したが、隣り合う第２の梁５２の間に複数の第１の梁５１が形成されていてもよいことは言うまでも無い。
【０１４８】
つぎに、本発明の第５の実施形態に係る電子機器を、ポータブルコンピュータ１０を一例に、図１１を参照して説明する。なお、第４の実施形態と同様な機能を有する構成は、同一の符号を付して説明を省略する。
【０１４９】
本実施形態では、突部４５と縦壁部４６とに形成される第２の梁５２の配置が、第４の実施形態と異なる。この点について、具体的に説明する。
【０１５０】
図１１に示すように、本実施形態では、突部４５に形成される第２の梁５２は、第１の地点５３に形成される第１の梁５１の直ぐ側に配置される。縦壁部４６に形成される第２の梁５２は、第２の地点５４に形成される第１の梁５１の直ぐ側に配置される。
【０１５１】
本実施形態のように、並ぶ方向に第１の梁５１と向かい合う第２の梁５２が、それぞれ向かい合う第１の梁５１の側に配置されることによって、亀裂７０において、第１の梁５１と第２の梁５２との間を通る範囲は、第１，２の梁５１，５２と略平行になる。それゆえ、並ぶ方向に向かい合う第１の梁５１と第２の梁５２との近傍の範囲では、亀裂７０の長さは、長くなる。したがって、亀裂７０が形成される範囲は、小さく抑えられる。
【０１５２】
つぎに、本発明の第６の実施形態に係る電子機器を、ポータブルコンピュータ１０を一例に、図１２を参照して説明する。なお、第４の実施形態と同様な機能を有する構成は、同一の符号を付して説明を省略する。
【０１５３】
本実施形態では、複数の第１，２の梁５１，５２が並ぶ方向に沿って隣り合う第１の梁５１の間に配置される複数の第２の梁５２の長さと配置が、第４の実施形態と異なる。この点について、具体的に説明する。
【０１５４】
本実施形態では、第１の地点５３と第２の地点５４とに間に形成される第２の梁５２は、衝撃によって形成される亀裂７０の位置を、任意の位置に導くように形成、配置されている。
【０１５５】
具体的には、図１２に示すように、第１，２の地点５３，５４の間に第２の梁５２が例えば５個形成される。これら５個の第２の梁５２のうち、３つの第２の梁５２は、突部４５に形成される。残る２つの第２の梁５２は、縦壁部４６に形成される。
【０１５６】
突部４５に形成される３個の第２の梁５２のうち、後方に配置される第２の梁５２は、上右壁２２ｄの直前の位置まで延びている。この第２の梁５２の両側に配置される２つの第２の梁５２の長さは、第１，２の地点５３，５４に形成される第１の梁５１に向かうにつれて、次第に短くなっていく。
【０１５７】
このように形成される第２の梁５２の先端を結ぶ形状は、上右壁２２ｄに向かって突出する山形になる。
【０１５８】
それゆえ、衝撃によって形成される亀裂７０の形状は、図中２点鎖線で示すように、上右壁２２ｄに向かって突出する山形になる。
【０１５９】
本実施形態では、複数の第２の梁５２によって、亀裂７０の形状を大きな山形に導いたが、これに限定されるものではない。
【０１６０】
第２の梁５２の長さや配置を任意に設定することによって、衝撃によって形成される亀裂７０の形状を任意に設定することができる。
【０１６１】
つぎに、本発明の第７の実施形態に係る電子機器を、ポータブルコンピュータ１０を一例に、図１３を参照して説明する。なお、第１の実施形態と同様な機能を有する構成は、同一の符号を付して説明を省略する。
【０１６２】
本実施形態では、第１の梁５１と第２の梁５２との形成される範囲が第１の実施形態と異なる。この点について具体的に説明する。
【０１６３】
図１３に示すように、本実施形態では、第１の梁５１と第２の梁５２とは、上カバー２２の側壁部、つまり、上前壁２２ｂ、上左壁２２ｃ、上右壁２２ｄ、上後壁２２ｅとの略全域に亘って形成されている。
【０１６４】
なお、上カバー２２の後端において内側は、別途にカバー部材８０が取付けられる。それゆえ、ポータブルコンピュータが万が一落下した場合であっても、ポータブルコンピュータ１０の後端内側には、衝撃が入力され難い。
【０１６５】
それゆえ、本実施形態では、張出部２７ａ，２８ａにおいて、上後壁２２ｅに沿う内側８１には、第１，２の梁５１，５２が形成されていない。しかし、これに限定されない。例えば、張出部２７ａ，２８ａにおいて上後壁２２ｅに沿う内側８１に第１，２の梁５１，５２が形成されてもよい。
【０１６６】
図１３に示すように、本実施形態では、第１の梁５１と第２の梁５２とは、周壁に沿って、交互に配置されている。しかし、これに限定されない。例えば、部分的には、第４から第６の実施形態に示されたように、周壁に沿って隣り合う第１の梁５１の間に複数の第２の梁５２が形成されてもよい。なお、周壁、つまり上前壁２２ｂ，上左壁２２ｃ，上右壁２２ｄ上後壁２２ｅに沿う方向Ｄ４は、本発明で言う、第１，２の梁５１，５２が並ぶ方向である。
【０１６７】
本実施形態では、上カバー２２の強度が向上される。
【０１６８】
なお、下カバー２３の側壁、つまり下前壁２３ｂ、下左壁２３ｃ、下右壁２３ｄ、下後壁２３ｅとの略全域に第１，２の梁５１が形成されてもよい。この場合、下カバー２３の強度が向上される。または、第２の筐体３１の側壁部の略全域に亘って、第１，２の梁５１，５２が形成されてもよい。この場合、第２の筐体３１の強度が向上される。
【０１６９】
また、本発明は、第１から第７の実施形態で示したように、ポータブルコンピュータ１０を用いて説明された。しかし、これに限定されない。例えば、本発明は、電子機器の一例として、電池パックのケースに用いられてもよい。
【図面の簡単な説明】
【０１７０】
【図１】本発明の第１の実施形態に係るポータブルコンピュータの斜視図。
【図２】図１に示された第１の筐体の分解斜視図。
【図３】図２に示された上カバーの内側を示す斜視図。
【図４】図３に示されたＦ４の範囲を拡大して示す斜視図。
【図５】図３に示されたＦ４の範囲の平面図。
【図６】図５に示されたＦ６−Ｆ６線に沿う断面図。
【図７】図５に示されたＦ７−Ｆ７線に沿う断面図。
【図８】本発明の第２の実施形態に係る第１の梁と第２の梁との配置関係を示す平面図。
【図９】本発明の第３の実施形態に係る第１の梁と第２の梁との配置関係を示す平面図。
【図１０】本発明の第４の実施形態に係る第１の梁と第２の梁との配置関係を示す平面図。
【図１１】本発明の第５の実施形態に係る第１の梁と第２の梁との配置関係を示す平面図。
【図１２】本発明の第６の実施形態に係る第１の梁と第２の梁との配置関係を示す平面図。
【図１３】本発明の第７の実施形態に係る上カバーの内側を示す斜視図。
【符号の説明】
【０１７１】
１０…ポータブルコンピュータ（電子機器）、２１…第１の筐体（筐体）、２２ａ…上壁（端壁部）、２２ｂ…上前壁（側壁部）、２２ｃ…上左壁（側壁部）、２２ｄ…上右壁（側壁部）、２２ｅ…上後壁（側壁部）、２３ａ…下壁（端壁部）、２３ｂ…下前壁（側壁部）、２３ｃ…下左壁（側壁部）、２３ｄ…下右壁（側壁部）、２３ｅ…下後壁（側壁部）、２５ａ…張出部、２６ａ…張出部、２７ａ…張出部、２８…張出部、３１…第２の筐体（筐体）、４３…ボス部（縦壁部）、４５…突部（縦壁部）、４６…縦壁部、５１…第１の梁、５２…第２の梁、７０…亀裂、７１…縦壁部、７４…ボス部（縦壁部）、Ｃ１〜Ｃ１７…対向する領域、Ｄ１〜Ｄ４…並ぶ方向。
【図１】
2006309549.tif 000003
【図２】
2006309549.tif 000004
【図３】
2006309549.tif 000005
【図４】
2006309549.tif 000006
【図５】
2006309549.tif 000007
【図６】
2006309549.tif 000008
【図７】
2006309549.tif 000009
【図８】
2006309549.tif 000010
【図９】
2006309549.tif 000011
【図１０】
2006309549.tif 000012
【図１１】
2006309549.tif 000013
【図１２】
2006309549.tif 000014
【図１３】
2006309549.tif 000015